(57)【要約】【課題】  ある特定のバージョン以上の仕様書で定義される端末の機能で、かつＵＴＲＡＮがその特定のバージョン以上の仕様書をサポートすることが必要な機能が存在する場合に、端末がその機能を在圏するＵＴＲＡＮに対して使用可能であるかどうか判断することが可能な移動体通信システムを提供する。【解決手段】  移動体通信システムは、端末（３）がサポートしている仕様書のバージョン、または機能に関する情報を、上り方向のＲＲＣメッセージを用いてＵＴＲＡＮ（１）に通知可能であり、ＵＴＲＡＮ（１）がサポートしている仕様書のバージョン、または機能に関する情報をＵＴＲＡＮ（１）から端末（３）に通知している。【選択図】      図１
2009253397.tif 000002
【特許請求の範囲】
【請求項１】
端末がサポートしている仕様書のバージョン、または機能に関する情報を、上り方向のＲＲＣ（Ｒａｄｉｏ  Ｒｅｓｏｕｒｃｅ  Ｃｏｎｔｒｏｌ）メッセージを用いてＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に通知可能な移動体通信システムであって、
前記ＵＴＲＡＮがサポートしている仕様書のバージョン、または機能に関する情報を前記ＵＴＲＡＮから前記端末に通知することを特徴とする移動体通信システム。
【請求項２】
前記端末への報知情報にＵＴＲＡＮ  Ｒｅｌｅａｓｅ  Ｉｎｄｉｃａｔｏｒを追加し、前記ＵＴＲＡＮから前記端末に対して前記ＵＴＲＡＮがサポートしている仕様書のバージョン、または機能に関する情報を通知することを特徴とする請求項１記載の移動体通信システム。
【請求項３】
前記報知情報は、少なくともＳｙｓｔｅｍ  Ｉｎｆｏｒｍａｔｉｏｎ  Ｂｌｏｃｋ  Ｔｙｐｅ  ３であることを特徴とする請求項２記載の移動体通信システム。
【請求項４】
前記ＵＴＲＡＮは、ＲＲＣコネクション確立時のＲＲＣメッセージに当該ＵＴＲＡＮがサポートしている仕様書のバージョン、または機能に関する情報を追加することを特徴とする請求項１から請求項３のいずれか記載の移動体通信システム。
【請求項５】
前記ＵＴＲＡＮは、少なくともＳＲＮＳ［Ｓｅｒｖｉｎｇ  ＲＮＳ（Ｒａｄｉｏ  Ｎｅｔｗｏｒｋ  Ｓｕｂｓｙｓｔｅｍ）］  Ｒｅｌｏｃａｔｉｏｎ発生時及びＩｎｔｅｒ−ＲＡＴ（Ｒａｄｉｏ  Ａｃｃｅｓｓ  Ｔｅｃｈｎｏｌｏｇｙ）  ｈａｎｄｏｖｅｒ  ｔｏ  ＵＴＲＡＮ発生時にそのトリガとなるＲＲＣメッセージに当該ＵＴＲＡＮがサポートしている仕様書のバージョン、または機能に関する情報を追加することを特徴とする請求項１から請求項４のいずれか記載の移動体通信システム。
【請求項６】
端末がサポートしている仕様書のバージョン、または機能に関する情報を、上り方向のＲＲＣ（Ｒａｄｉｏ  Ｒｅｓｏｕｒｃｅ  Ｃｏｎｔｒｏｌ）メッセージを用いてＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に通知可能な移動体通信システムにおいて前記ＵＴＲＡＮに用いる通信装置であって、
前記ＵＴＲＡＮがサポートしている仕様書のバージョン、または機能に関する情報を前記端末に通知することを特徴とする通信装置。
【請求項７】
前記端末への報知情報にＵＴＲＡＮ  Ｒｅｌｅａｓｅ  Ｉｎｄｉｃａｔｏｒを追加し、前記ＵＴＲＡＮから前記端末に対して前記ＵＴＲＡＮがサポートしている仕様書のバージョン、または機能に関する情報を通知することを特徴とする請求項６記載の通信装置。
【請求項８】
前記報知情報は、少なくともＳｙｓｔｅｍ  Ｉｎｆｏｒｍａｔｉｏｎ  Ｂｌｏｃｋ  Ｔｙｐｅ  ３であることを特徴とする請求項７記載の通信装置。
【請求項９】
ＲＲＣコネクション確立時のＲＲＣメッセージに当該ＵＴＲＡＮがサポートしている仕様書のバージョン、または機能に関する情報を追加することを特徴とする請求項６から請求項８のいずれか記載の通信装置。
【請求項１０】
少なくともＳＲＮＳ［Ｓｅｒｖｉｎｇ  ＲＮＳ（Ｒａｄｉｏ  Ｎｅｔｗｏｒｋ  Ｓｕｂｓｙｓｔｅｍ）］  Ｒｅｌｏｃａｔｉｏｎ発生時及びＩｎｔｅｒ−ＲＡＴ（Ｒａｄｉｏ  Ａｃｃｅｓｓ  Ｔｅｃｈｎｏｌｏｇｙ）  ｈａｎｄｏｖｅｒ  ｔｏ  ＵＴＲＡＮ発生時にそのトリガとなるＲＲＣメッセージに当該ＵＴＲＡＮがサポートしている仕様書のバージョン、または機能に関する情報を追加することを特徴とする請求項６から請求項９のいずれか記載の通信装置。
【請求項１１】
端末がサポートしている仕様書のバージョン、または機能に関する情報を、上り方向のＲＲＣ（Ｒａｄｉｏ  Ｒｅｓｏｕｒｃｅ  Ｃｏｎｔｒｏｌ）メッセージを用いてＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に通知可能な移動体通信システムに用いる仕様書のバージョン情報通知方法であって、
前記ＵＴＲＡＮがサポートしている仕様書のバージョン、または機能に関する情報を前記ＵＴＲＡＮから前記端末に通知することを特徴とする仕様書のバージョン情報通知方法。
【請求項１２】
前記端末への報知情報にＵＴＲＡＮ  Ｒｅｌｅａｓｅ  Ｉｎｄｉｃａｔｏｒを追加し、前記ＵＴＲＡＮから前記端末に対して前記ＵＴＲＡＮがサポートしている仕様書のバージョン、または機能に関する情報を通知することを特徴とする請求項１１記載の仕様書のバージョン情報通知方法。
【請求項１３】
前記報知情報は、少なくともＳｙｓｔｅｍ  Ｉｎｆｏｒｍａｔｉｏｎ  Ｂｌｏｃｋ  Ｔｙｐｅ  ３であることを特徴とする請求項１２記載の仕様書のバージョン情報通知方法。
【請求項１４】
前記ＵＴＲＡＮが、ＲＲＣコネクション確立時のＲＲＣメッセージに当該ＵＴＲＡＮがサポートしている仕様書のバージョン、または機能に関する情報を追加することを特徴とする請求項１１から請求項１３のいずれか記載の仕様書のバージョン情報通知方法。
【請求項１５】
前記ＵＴＲＡＮが、少なくともＳＲＮＳ［Ｓｅｒｖｉｎｇ  ＲＮＳ（Ｒａｄｉｏ  Ｎｅｔｗｏｒｋ  Ｓｕｂｓｙｓｔｅｍ）］  Ｒｅｌｏｃａｔｉｏｎ発生時及びＩｎｔｅｒ−ＲＡＴ（Ｒａｄｉｏ  Ａｃｃｅｓｓ  Ｔｅｃｈｎｏｌｏｇｙ）  ｈａｎｄｏｖｅｒ  ｔｏ  ＵＴＲＡＮ発生時にそのトリガとなるＲＲＣメッセージに当該ＵＴＲＡＮがサポートしている仕様書のバージョン、または機能に関する情報を追加することを特徴とする請求項１１から請求項１４のいずれか記載の仕様書のバージョン情報通知方法。
【発明の詳細な説明】
【技術分野】
【０００１】
本発明は移動体通信システム、通信装置及びそれらに用いる仕様書のバージョン情報通知方法に関し、特にＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）がサポートしているＲｅｌｅａｓｅ  Ｖｅｒｓｉｏｎを端末（ＵＥ：Ｕｓｅｒ  Ｅｑｕｉｐｍｅｎｔ）に通知する方法に関する。
【背景技術】
【０００２】
無線資源制御プロトコル［ＲＲＣ（Ｒａｄｉｏ  Ｒｅｓｏｕｒｃｅ  Ｃｏｎｔｒｏｌ）  Ｐｒｏｔｏｃｏｌ］仕様については、３ＧＰＰ（３ｒｄ  Ｇｅｎｅｒａｔｉｏｎ  Ｐａｒｔｎｅｒｓｈｉｐ  Ｐｒｏｊｅｃｔ）にて標準化されている（例えば、非特許文献１参照）。
【０００３】
本発明に関連する技術では、端末（ＵＥ）がサポートしている仕様書のバージョン、または機能に関する情報を、ＲＲＣメッセージ：ＵＥ  ＣＡＰＡＢＩＬＩＴＹ  ＩＮＦＯＲＭＡＴＩＯＮ等の上り方向のＲＲＣメッセージを用いて、ＵＴＲＡＮに通知することができる。
【０００４】
【非特許文献１】“Ｒａｄｉｏ  Ｒｅｓｏｕｒｃｅ  Ｃｏｎｔｒｏｌ（ＲＲＣ）；Ｐｒｏｔｏｃｏｌ  Ｓｐｅｃｉｆｉｃａｔｉｏｎ（Ｒｅｌｅａｓｅ８）”［３ＧＰＰ  ＴＳ２５．３３１  Ｖ８．１．０（２００７−１２）］（特に、８．１．１章、８．１．３章、８．３．３章）
【発明の開示】
【発明が解決しようとする課題】
【０００５】
しかしながら、本発明に関連する技術では、ＵＴＲＡＮから端末（ＵＥ）に対して、ＵＴＲＡＮがサポートしている仕様書のバージョンやサポート機能の情報を知らせる仕組みがない。
【０００６】
そのため、本発明に関連する技術では、ある特定のバージョン以上の仕様書で定義される端末の機能で、かつＵＴＲＡＮがその特定のバージョン以上の仕様書をサポートすることが必要な機能が存在する場合に、端末（ＵＥ）がその機能を在圏するＵＴＲＡＮに対して使用可能であるかどうかを判断することができない。
【０００７】
例えば、ＲＲＣメッセージ：ＵＥ  ＣＡＰＡＢＩＬＩＴＹ  ＩＮＦＯＲＭＡＴＩＯＮをＵＴＲＡＮに対して再送することを許容するＵＴＲＡＮと、それを許容しないＵＴＲＡＮとが存在し、かつＲｅｌｅａｓｅ  Ｖｅｒｓｉｏｎでそのサポート状況を識別可能である場合でも、端末（ＵＥ）はＵＴＲＡＮのＲｅｌｅａｓｅ  Ｖｅｒｓｉｏｎを知る術がないため、そのメッセージをＵＴＲＡＮに再送可能かどうかを判断することができない。
【０００８】
つまり、非特許文献１にて標準化されている無線資源制御プロトコル（ＲＲＣ  Ｐｒｏｔｏｃｏｌ）の仕様では、ＲＲＣメッセージ：ＵＥ  ＣＡＰＡＢＩＬＩＴＹ  ＩＮＦＯＲＭＡＴＩＯＮ等の上り方向のＲＲＣメッセージを用いて、端末（ＵＥ）がサポートしている仕様書のバージョン、または機能に関する情報をＵＴＲＡＮに通知することができる。
【０００９】
しかしながら、ＵＴＲＡＮから端末（ＵＥ）に対して、ＵＴＲＡＮがサポートしている仕様書のバージョンやサポート機能の情報を知らせる仕組みがない。この現在の仕様では、ある特定のバージョン以上の仕様書で定義される端末（ＵＥ）の機能で、かつＵＴＲＡＮがその特定のバージョン以上の仕様書をサポートすることが必要な機能が存在する場合に、端末（ＵＥ）がその機能を在圏するＵＴＲＡＮに対して使用可能であるかどうかを判断することができず、端末（ＵＥ）がその機能の使用を試みることで予期せぬＵＴＲＡＮの動作を引き起こす可能性がある。
【００１０】
そこで、本発明の目的は上記の問題点を解消し、ある特定のバージョン以上の仕様書で定義される端末の機能で、かつＵＴＲＡＮがその特定のバージョン以上の仕様書をサポートすることが必要な機能が存在する場合に、端末がその機能を在圏するＵＴＲＡＮに対して使用可能であるかどうか判断することができる移動体通信システム、通信装置及びそれらに用いる仕様書のバージョン情報通知方法を提供することにある。
【課題を解決するための手段】
【００１１】
本発明による移動体通信システムは、端末がサポートしている仕様書のバージョン、または機能に関する情報を、上り方向のＲＲＣ（Ｒａｄｉｏ  Ｒｅｓｏｕｒｃｅ  Ｃｏｎｔｒｏｌ）メッセージを用いてＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に通知可能な移動体通信システムであって、
前記ＵＴＲＡＮがサポートしている仕様書のバージョン、または機能に関する情報を前記ＵＴＲＡＮから前記端末に通知している。
【００１２】
本発明による通信装置は、端末がサポートしている仕様書のバージョン、または機能に関する情報を、上り方向のＲＲＣ（Ｒａｄｉｏ  Ｒｅｓｏｕｒｃｅ  Ｃｏｎｔｒｏｌ）メッセージを用いてＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に通知可能な移動体通信システムにおいて前記ＵＴＲＡＮに用いる通信装置であって、
前記ＵＴＲＡＮがサポートしている仕様書のバージョン、または機能に関する情報を前記端末に通知している。
【００１３】
本発明による仕様書のバージョン情報通知方法は、端末がサポートしている仕様書のバージョン、または機能に関する情報を、上り方向のＲＲＣ（Ｒａｄｉｏ  Ｒｅｓｏｕｒｃｅ  Ｃｏｎｔｒｏｌ）メッセージを用いてＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に通知可能な移動体通信システムに用いる仕様書のバージョン情報通知方法であって、
前記ＵＴＲＡＮがサポートしている仕様書のバージョン、または機能に関する情報を前記ＵＴＲＡＮから前記端末に通知している。
【発明の効果】
【００１４】
本発明は、上記のような構成及び動作とすることで、ある特定のバージョン以上の仕様書で定義される端末の機能で、かつＵＴＲＡＮがその特定のバージョン以上の仕様書をサポートすることが必要な機能が存在する場合に、端末がその機能を在圏するＵＴＲＡＮに対して使用可能であるかどうか判断することができるという効果が得られる。
【発明を実施するための最良の形態】
【００１５】
次に、本発明の実施の形態について図面を参照して説明する。まず、本発明の概要について説明する。本発明では、上記の問題を解決するために、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）がサポートしている仕様書のバージョン（以下、Ｒｅｌｅａｓｅ  Ｖｅｒｓｉｏｎとする）を、ＲＲＣ（Ｒａｄｉｏ  Ｒｅｓｏｕｒｃｅ  Ｃｏｎｔｒｏｌ）メッセージを用いて、端末（ＵＥ：Ｕｓｅｒ  Ｅｑｕｉｐｍｅｎｔ）に通知することを特徴としている。
【００１６】
このように、本発明では、ＵＴＲＡＮ  Ｒｅｌｅａｓｅ  Ｉｎｄｉｃａｔｏｒを用いて、ＵＴＲＡＮがサポートしているＲｅｌｅａｓｅ  Ｖｅｒｓｉｏｎを端末（ＵＥ）に通知する。これによって、本発明では、端末（ＵＥ）がＵＴＲＡＮがサポートしているＲｅｌｅａｓｅ  Ｖｅｒｓｉｏｎを参照し、機能をサポートしているＵＴＲＡＮにのみ、機能を要求することが可能となる。
【００１７】
したがって、本発明では、下記のように、ＵＴＲＡＮがサポートしているＲｅｌｅａｓｅ  Ｖｅｒｓｉｏｎを端末（ＵＥ）に通知することで、端末（ＵＥ）がその通知された情報を基に適切な機能を使用することが可能となる。
【００１８】
つまり、
（１）本発明では、報知情報（例えば、Ｓｙｓｔｅｍ  Ｉｎｆｏｒｍａｔｉｏｎ  Ｂｌｏｃｋ  Ｔｙｐｅ  ３）にＵＴＲＡＮ  Ｒｅｌｅａｓｅ  Ｉｎｄｉｃａｔｏｒを追加し、ＵＴＲＡＮから端末（ＵＥ）に通知する。
（２）本発明では、ＲＲＣ  Ｃｏｎｎｅｃｔｉｏｎ確立時、ＵＴＲＡＮ  Ｒｅｌｅａｓｅ  ＩｎｄｉｃａｔｏｒをＲＲＣメッセージ：ＲＲＣ  ＣＯＮＮＥＣＴＩＯＮ  ＳＥＴＵＰに追加し、端末（ＵＥ）に通知する。
（３）本発明では、ＲＲＣ  Ｃｏｎｎｅｃｔｅｄ  Ｍｏｄｅ  Ｍｏｂｉｌｉｔｙ｛例えば、ＳＲＮＳ［Ｓｅｒｖｉｎｇ  ＲＮＳ（Ｒａｄｉｏ  Ｎｅｔｗｏｒｋ  Ｓｕｂｓｙｓｔｅｍ）］  Ｒｅｌｏｃａｔｉｏｎ、Ｉｎｔｅｒ−ＲＡＴ（Ｒａｄｉｏ  Ａｃｃｅｓｓ  Ｔｅｃｈｎｏｌｏｇｙ）  ｈａｎｄｏｖｅｒ  ｔｏ  ＵＴＲＡＮ｝発生時、そのＭｏｂｉｌｉｔｙのトリガとなるＲＲＣメッセージにＵＴＲＡＮ  Ｒｅｌｅａｓｅ  Ｉｎｄｉｃａｔｏｒを追加し、端末（ＵＥ）に通知する。
【００１９】
これによって、本発明では、端末（ＵＥ）がＵＴＲＡＮがサポートしているＲｅｌｅａｓｅ  Ｖｅｒｓｉｏｎを把握し、ＵＴＲＡＮに対して、Ｒｅｌｅａｓｅ  Ｖｅｒｓｉｏｎに依存した機能を使用可能であるかどうかを適切に判断することができる。よって、端末（ＵＥ）は、その機能をサポートするＵＴＲＡＮに対してのみ、その機能を要求することが可能となる。
【００２０】
図１は本発明の第１の実施の形態による移動体通信システムの構成を示すブロック図である。図１において、本発明の第１の実施の形態による移動体通信システムは、ＵＴＲＡＮ１と、ＣＮ（Ｃｏｒｅ  Ｎｅｔｗｏｒｋ）２と、端末（ＵＥ）３とから構成されている。また、ＵＴＲＡＮ１は、ＲＮＣ（Ｒａｄｉｏ  Ｎｅｔｗｏｒｋ  Ｃｏｎｔｒｏｌｌｅｒ）１１と、ＮｏｄｅＢ１２，１３とから構成されている。
【００２１】
ＵＴＲＡＮ１は、ＵＴＲＡＮ１がサポートしているＲｅｌｅａｓｅ  Ｖｅｒｓｉｏｎを端末（ＵＥ）３に通知しているが、ＵＴＲＡＮ１がサポートしているＲｅｌｅａｓｅ  Ｖｅｒｓｉｏｎは、ＲＮＣ１１からＮｏｄｅＢ１２，１３のうちの少なくともいずれか一方を経由して端末（ＵＥ）３に通知するようにすればよい。また、ＲＮＣ１１及びＮｏｄｅＢ１２，１３各々の機能を一つの通信装置内に収容している場合には、その通信装置から端末（ＵＥ）３に通知するようにしてもよい。
【００２２】
図２は本発明の第１の実施の形態で用いるＳｙｓｔｅｍ  Ｉｎｆｏｒｍａｔｉｏｎ  Ｂｌｏｃｋ  Ｔｙｐｅ  ３のパラメータ一覧を示す図である。図２において、本発明の第１の実施の形態では、Ｓｙｓｔｅｍ  Ｉｎｆｏｒｍａｔｉｏｎ  Ｂｌｏｃｋ  Ｔｙｐｅ  ３のパラメータに、ＵＴＲＡＮ  Ｒｅｌｅａｓｅ  Ｉｎｄｉｃａｔｏｒパラメータを追加することで、ＵＴＲＡＮ１がサポートするＲｅｌｅａｓｅ  Ｖｅｒｓｉｏｎを端末（ＵＥ）３に通知している。
【００２３】
Ｓｙｓｔｅｍ  Ｉｎｆｏｒｍａｔｉｏｎ  Ｂｌｏｃｋ  ｔｙｐｅ  ３のパラメータは、「Ｉｎｆｏｒｍａｔｉｏｎ  Ｅｌｅｍｅｎｔ／Ｇｒｏｕｐ  ｎａｍｅ」、「Ｎｅｅｄ」、「Ｓｅｍａｎｔｉｃｓ  ｄｅｓｃｒｉｐｔｉｏｎ」からなっている。
【００２４】
図３は本発明の第１の実施の形態におけるＲＲＣ  Ｃｏｎｎｅｃｔｉｏｎ  Ｅｓｔａｂｌｉｓｈｍｅｎｔプロシージャを示すシーケンスチャートである。これら図１〜図３を参照して本発明の第１の実施の形態におけるＲＲＣ  Ｃｏｎｎｅｃｔｉｏｎ  Ｅｓｔａｂｌｉｓｈｍｅｎｔプロシージャについて説明する。尚、図３においては、ＲＲＣ  ＣＯＮＮＥＣＴＩＯＮ  ＳＥＴＵＰに、ＵＴＲＡＮ  ｒｅｌｅａｓｅ  Ｉｎｄｉｃａｔｏｒを設定し、ＵＴＲＡＮ１がサポートするＲｅｌｅａｓｅ  Ｖｅｒｓｉｏｎを端末（ＵＥ）３に通知する例を示している。
【００２５】
端末（ＵＥ）３は、ＲＲＣを確立するため、ＲＲＣ  ＣＯＮＮＥＣＴＩＯＮ  ＲＥＱＵＥＳＴメッセージ（ｍｅｓｓａｇｅ）にＵＥ  ｃａｐａｂｉｌｉｔｙ等の情報を設定し、ＵＴＲＡＮ１に送信する（図３のａ１）。
【００２６】
ＵＴＲＡＮ１は、ＲＲＣ  ＣＯＮＮＥＣＴＩＯＮ  ＲＥＱＵＥＳＴメッセージを受信してから、ＲＲＣ  ＣＯＮＮＥＣＴＩＯＮ  ＳＥＴＵＰメッセージに該当するＵＴＲＡＮ１がサポートしているＲｅｌｅａｓｅ  Ｖｅｒｓｉｏｎを設定し、端末（ＵＥ）３に送信する（図３のａ２）。
【００２７】
端末（ＵＥ）３は、ＲＲＣ  ＣＯＮＮＥＣＴＩＯＮ  ＳＥＴＵＰメッセージを受信してから、ＲＲＣ  ＣＯＮＮＥＣＴＩＯＮ  ＳＥＴＵＰ  ＣＯＭＰＬＥＴＥメッセージをＵＴＲＡＮ１に送信する（図３のａ３）。
【００２８】
これによって、本実施の形態では、端末（ＵＥ）３において、ＵＴＲＡＮ１がサポートしているＲｅｌｅａｓｅ  Ｖｅｒｓｉｏｎを把握し、ＵＴＲＡＮ１に対して、そのＵＴＲＡＮ１である機能が使用可能であるかどうかを判断する。したがって、本実施の形態では、ＵＴＲＡＮ１がその機能をサポートしていないのであれば、端末（ＵＥ）３がその機能をＵＴＲＡＮ１に要求しないようにすることができる。
【００２９】
例えば、ＲＲＣメッセージ：ＵＥ  ＣＡＰＡＢＩＬＩＴＹ  ＩＮＦＯＲＭＡＴＩＯＮを再送することを許容するＵＴＲＡＮと、それを許容しないＵＴＲＡＮとが存在し、かつそのサポート状況をＲｅｌｅａｓｅ  Ｖｅｒｓｉｏｎで識別可能である場合、端末（ＵＥ）は、それを許容しないＵＴＲＡＮに対して、ＲＲＣメッセージ：ＵＥ  ＣＡＰＡＢＩＬＩＴＹ  ＩＮＦＯＲＭＡＴＩＯＮを再送しないことを選択し、許容するＵＴＲＡＮに対して、ＲＲＣメッセージ：ＵＥ  ＣＡＰＡＢＩＬＩＴＹ  ＩＮＦＯＲＭＡＴＩＯＮを再送することを選択することが可能となる。
【００３０】
このように、本実施の形態では、ある特定のバージョン以上の仕様書で定義される端末（ＵＥ）３の機能で、かつＵＴＲＡＮがその特定のバージョン以上の仕様書をサポートすることが必要な機能が存在する場合に、端末（ＵＥ）３がその機能を在圏するＵＴＲＡＮ１に対して使用可能であるかどうかを判断することができる。
【００３１】
また、本実施の形態では、ＵＴＲＡＮ１がその機能をサポートしない場合、端末（ＵＥ）３がその機能をＵＴＲＡＮ１に要求しないことによって、サポートしない機能を起動することで引き起こされるさまざまな問題を回避することができる。
【００３２】
図４は本発明の第２の実施の形態におけるＵＥ  Ｍｏｂｉｌｉｔｙ  Ｉｎｆｏｒｍａｔｉｏｎプロシージャを示すシーケンスチャートである。図４においては、本発明の第２の実施の形態としてのＳＲＮＳ  Ｒｅｌｏｃａｔｉｏｎ発生時、ＵＴＲＡＮ  Ｍｏｂｉｌｉｔｙ  Ｉｎｆｏｒｍａｔｉｏｎのプロシージャを示している。図４において、ＵＴＲＡＮ  ＭＯＢＩＬＩＴＹ  ＩＮＦＯＲＭＡＴＩＯＮには、ＵＴＲＡＮ  ｒｅｌｅａｓｅ  Ｉｎｄｉｃａｔｏｒを設定し、ＵＴＲＡＮがサポートするＲｅｌｅａｓｅ  Ｖｅｒｓｉｏｎを端末（ＵＥ）に通知する。
【００３３】
尚、本発明の第２の実施の形態による移動体通信システムは、図１に示す本発明の第１の実施の形態による移動体通信システムと同様の構成となっている。以下、図１と図４とを参照して本発明の第２の実施の形態におけるＵＥ  Ｍｏｂｉｌｉｔｙ  Ｉｎｆｏｒｍａｔｉｏｎプロシージャについて説明する。
【００３４】
ＵＴＲＡＮ１は、ＳＲＮＳ  Ｒｅｌｏｃａｔｉｏｎ発生時、ＵＴＲＡＮ  ＭＯＢＩＬＩＴＹ  ＩＮＦＯＲＭＡＴＩＯＮメッセージに該当するＵＴＲＡＮ１がサポートしているＲｅｌｅａｓｅ  Ｖｅｒｓｉｏｎを設定し、端末（ＵＥ）３に送信する（図４のｂ１）。
【００３５】
端末（ＵＥ）３は、ＵＴＲＡＮ  ＭＯＢＩＬＩＴＹ  ＩＮＦＯＲＭＡＴＩＯＮメッセージを受信してから、ＵＴＲＡＮ  ＭＯＢＩＬＩＴＹ  ＩＮＦＯＲＭＡＴＩＯＮ  ＣＯＮＦＩＲＭメッセージをＵＴＲＡＮ１に送信する（図４のｂ２）。
【００３６】
これによって、本実施の形態では、端末（ＵＥ）３において、ＵＴＲＡＮ１がサポートしているＲｅｌｅａｓｅ  Ｖｅｒｓｉｏｎを把握し、ＵＴＲＡＮ１に対して、そのＵＴＲＡＮ１である機能が使用可能であるかどうかを判断する。したがって、本実施の形態では、ＵＴＲＡＮ１がその機能をサポートしていないのであれば、端末（ＵＥ）３がその機能をＵＴＲＡＮ１に要求しないようにすることができる。
【００３７】
図５は本発明の第３の実施の形態におけるＩｎｔｅｒ−ＲＡＴ  Ｈａｎｄｏｖｅｒ  ｔｏ  ＵＴＲＡＮプロシージャを示すシーケンスチャートである。図５においては、本発明の第３の実施の形態としてのＩｎｔｅｒ−ＲＡＴ  ｈａｎｄｏｖｅｒ  ｔｏ  ＵＴＲＡＮ発生時、Ｈａｎｄｏｖｅｒ  ｔｏ  ＵＴＲＡＮ  Ｃｏｍｍａｎｄのプロシージャを示している。図５において、ＨＡＮＤＯＶＥＲ  ＴＯ  ＵＴＲＡＮ  ＣＯＭＭＡＮＤには、ＵＴＲＡＮ  ｒｅｌｅａｓｅ  Ｉｎｄｉｃａｔｏｒを設定し、ＵＴＲＡＮがサポートするＲｅｌｅａｓｅ  Ｖｅｒｓｉｏｎを端末（ＵＥ）に通知する。
【００３８】
尚、本発明の第３の実施の形態による移動体通信システムは、図１に示す本発明の第１の実施の形態による移動体通信システムと同様の構成となっている。以下、図１と図５とを参照して本発明の第３の実施の形態におけるＩｎｔｅｒ−ＲＡＴ  Ｈａｎｄｏｖｅｒ  ｔｏ  ＵＴＲＡＮプロシージャについて説明する。
【００３９】
ＵＴＲＡＮ１は、Ｉｎｔｅｒ−ＲＡＴ  ｈａｎｄｏｖｅｒ  ｔｏ  ＵＴＲＡＮ発生時、ＨＡＮＤＯＶＥＲ  ＴＯ  ＵＴＲＡＮ  ＣＯＭＭＡＮＤ（ｓｅｎｔ  ｖｉａ  ｏｔｈｅｒ  ｓｙｓｔｅｍ）に該当するＵＴＲＡＮ１がサポートしているＲｅｌｅａｓｅ  Ｖｅｒｓｉｏｎを設定し、端末（ＵＥ）３に送信する（図５のｃ１）。
【００４０】
端末（ＵＥ）３は、ＨＡＮＤＯＶＥＲ  ＴＯ  ＵＴＲＡＮ  ＣＯＭＭＡＮＤを受信してから、ＨＡＮＤＯＶＥＲ  ＴＯ  ＵＴＲＡＮ  ＣＯＭＰＬＥＴＥメッセージをＵＴＲＡＮ１に送信する（図５のｃ２）。
【００４１】
これによって、本実施の形態では、端末（ＵＥ）３において、ＵＴＲＡＮ１がサポートしているＲｅｌｅａｓｅ  Ｖｅｒｓｉｏｎを把握し、ＵＴＲＡＮ１に対して、そのＵＴＲＡＮ１である機能が使用可能であるかどうかを判断する。したがって、本実施の形態では、ＵＴＲＡＮ１がその機能をサポートしていないのであれば、端末（ＵＥ）３がその機能をＵＴＲＡＮ１に要求しないようにすることができる。
【００４２】
上述したように、本発明では、ある特定のバージョン以上の仕様書で定義される端末（ＵＥ）の機能で、かつＵＴＲＡＮがその特定のバージョン以上の仕様書をサポートすることが必要な機能が存在する場合に、端末（ＵＥ）がその機能を在圏するＵＴＲＡＮに対して使用可能であるかどうかを判断することができる。ＵＴＲＡＮがその機能をサポートしない場合には、端末（ＵＥ）がその機能をＵＴＲＡＮに要求しないことによって、ＵＴＲＡＮがサポートしない機能を起動することで引き起こされるさまざまな問題を回避することができる。
【図面の簡単な説明】
【００４３】
【図１】本発明の第１の実施の形態による移動体通信システムの構成を示すブロック図である。
【図２】本発明の第１の実施の形態で用いるＳｙｓｔｅｍ  Ｉｎｆｏｒｍａｔｉｏｎ  Ｂｌｏｃｋ  Ｔｙｐｅ  ３のパラメータ一覧を示す図である。
【図３】本発明の第１の実施の形態におけるＲＲＣ  Ｃｏｎｎｅｃｔｉｏｎ  Ｅｓｔａｂｌｉｓｈｍｅｎｔプロシージャを示すシーケンスチャートである。
【図４】本発明の第２の実施の形態におけるＵＥ  Ｍｏｂｉｌｉｔｙ  Ｉｎｆｏｒｍａｔｉｏｎプロシージャを示すシーケンスチャートである。
【図５】本発明の第３の実施の形態におけるＩｎｔｅｒ−ＲＡＴ  Ｈａｎｄｏｖｅｒ  ｔｏ  ＵＴＲＡＮプロシージャを示すシーケンスチャートである。
【符号の説明】
【００４４】
１  ＵＴＲＡＮ
２  ＣＮ
３  端末（ＵＥ）
１１  ＲＮＣ
１２，１３  ＮｏｄｅＢ
【図１】
2009253397.tif 000003
【図２】
2009253397.tif 000004
【図３】
2009253397.tif 000005
【図４】
2009253397.tif 000006
【図５】
2009253397.tif 000007